(57)【特許請求の範囲】
【請求項１】
コンテンツ再生装置のハードウェア及びソフトウェア構成を検出する構成検出器と、
前記構成検出器の出力する構成情報を記憶する構成記憶手段と、
前記構成検出器の出力する構成情報に基づき、コンテンツ再生装置固有の第１の暗号鍵を生成する第１の暗号鍵生成器と、
前記第１の暗号鍵を記憶する第１の暗号鍵記憶手段と、
前記第１の暗号鍵をコンテンツサーバにアップロードし、前記コンテンツサーバで前記第１の暗号鍵用いて暗号化されたコンテンツをダウンロードするモデムと、
前記ダウンロードされ、前記第１の暗号鍵で暗号化されたコンテンツを蓄積する蓄積手段と、
前記第１の暗号鍵を生成した時点のコンテンツ再生装置の構成と、現在のコンテンツ再生装置の構成が同一であることを認証する第１の相互認証器と、
コンテンツ再生装置の構成が変更された場合に、前記構成検出器の出力する構成情報に基づき、コンテンツ再生装置固有の第２の暗号鍵を生成する第２の暗号鍵生成器と、
前記第２の暗号鍵を記憶する第２の暗号鍵記憶手段と、
前記第２の暗号鍵を生成した時点のコンテンツ再生装置の構成と、現在のコンテンツ再生装置の構成が同一であることを認証する第２の相互認証器と、
前記第２の暗号鍵を生成した時点のコンテンツ再生装置の構成と、現在のコンテンツ再生装置の構成が同一である場合、前記第１の暗号鍵を用いて前記蓄積されたコンテンツを復号する暗号復号器と、
を具備することを特徴とするコンテンツ再生装置。
【発明の詳細な説明】
【０００１】
【発明の属する技術分野】
本発明は、暗号鍵により暗号化されたコンテンツを電子配信等でダウンロードし再生するコンテンツ再生装置に関するものである。
【０００２】
【従来の技術】
従来のコンテンツ再生装置について説明する。図４は、電子音楽配信等で受信した音楽コンテンツを再生する従来のコンテンツ再生装置の構成を示すブロック図である。構成検出器４０５はコンテンツ再生装置のハードウェア及びソフトウェア構成を検出する。暗号鍵生成器４０６は構成検出器４０５で得られた構成情報に基づいて、このコンテンツ再生装置固有の秘密鍵と公開鍵とを生成する。暗号鍵記憶手段４０７はこれらの２つの暗号鍵を記憶する。暗号鍵記憶手段４０７から読み出された公開鍵はモデム４０１により図示しないコンテンツサーバへアップロードされる。
【０００３】
コンテンツサーバ側では、アップロードされた公開鍵を用いてコンテンツを暗号化する。コンテンツ再生装置はモデム４０１を通して暗号化されたコンテンツをダウンロードし、蓄積手段４０２に蓄積する。暗号復号器４０３は蓄積手段４０２に蓄積されたコンテンツを読み出す。相互認証器４０８はそのコンテンツを構成検出器４０５から出力された構成情報で認証する。認証とは、暗号鍵生成器４０６で暗号鍵を生成した時点のコンテンツ再生器の構成と、現在のコンテンツ再生器の構成とが同一であるか否かを検証することを意味する。相互認証器４０８は同一であれば認証された旨を暗号復号器４０３に通知する。暗号復号器４０３は蓄積手段４０２より読み出したコンテンツを暗号鍵記憶手段４０７の出力する秘密鍵を用いて暗号復号する。伸長器４０４は、復号したコンテンツが圧縮されたものである場合、コンテンツデータを伸長して再生する。
【０００４】
【発明が解決しようとする課題】
しかしながら上記従来の構成では、以下のような課題を有していた。一旦、コンテンツ再生器のハードウェア及びソフトウェア構成を変えてしまうと、既に変更前の構成でダウンロードしたコンテンツが再生できなくなることである。これはコンテンツの不正コピーを防止するため、コンテンツ再生器特有の情報である構成情報により、再生動作を制限しているからである。
【０００５】
しかし、例えばコンテンツ再生器をパーソナルコンピュータとし、ＯＳのバージョンアップをしたり、ハードディスクの破損により交換することは、通常起こりうる回避しがたい状況である。この場合でも構成情報が変わるので、コンテンツを再生することは不可能となり、多大の不便さを強いられることになる。
【０００６】
本発明は、このような従来の問題点に鑑みてなされたものであって、ハードウェア及びソフトウェア構成を変えても、ダウンロードしたコンテンツを再生可能とするコンテンツ再生装置を実現することを目的とする。
【０００７】
【課題を解決するための手段】
本願の請求項１の発明は、入力コンテンツを蓄積する蓄積手段と、コンテンツ再生装置のハードウェア及びソフトウェア構成を検出する構成検出器と、前記構成検出器の出力する構成情報を記憶する構成記憶手段と、前記構成検出器の出力する構成情報に基づき、コンテンツ再生装置固有の第１の暗号鍵を２種類生成する第１の暗号鍵生成器と、前記第１の暗号鍵生成器の出力する暗号鍵を記憶する第１の暗号鍵記憶手段と、前記蓄積手段から読み出されたコンテンツが、同一のコンテンツ再生装置で生成した暗号鍵により暗号化されたコンテンツであることを前記構成記憶手段の出力する構成情報に基づき認証する第１の相互認証器と、前記構成検出器の出力する構成情報に基づき、コンテンツ再生装置固有の第２の暗号鍵の１種類を生成する第２の暗号鍵生成器と、前記第２の暗号鍵生成器の出力する暗号鍵を記憶する第２の暗号鍵記憶手段と、前記第２の暗号鍵記憶手段の出力する暗号鍵が同一のコンテンツ再生装置で生成した暗号鍵であることを前記構成検出器の出力する構成情報に基づき認証する第２の相互認証器と、を具備することを特徴とするものである。
【０００８】
本願の請求項２の発明は、請求項１のコンテンツ再生装置において、前記入力コンテンツは、モデムを介して前記蓄積手段にダウンロードされることを特徴とするものである。
【０００９】
本願の請求項３の発明は、請求項１のコンテンツ再生装置において、前記第１の相互認証器と前記第２の相互認証器の認証結果に基づき、前記蓄積手段から読み出されたコンテンツを暗号復号する暗号復号器を更に設けたことを特徴とするものである。
【００１０】
本願の請求項４の発明は、請求項１のコンテンツ再生装置において、前記第１の相互認証器と前記第２の相互認証器の認証結果に基づき、前記蓄積手段から読み出されたコンテンツを暗号復号する暗号復号器と、前記暗号復号器で暗号復号されたコンテンツを伸長する伸長器と、を更に設けたことを特徴とするものである。
【００１１】
本願の請求項５の発明は、請求項１のコンテンツ再生装置において、前記第１の暗号鍵生成器の生成する２種類の暗号鍵は、秘密鍵と公開鍵であることを特徴とするものである。
【００１２】
本願の請求項６の発明は、請求項５のコンテンツ再生装置において、前記第１の暗号鍵生成器で生成された２種類の暗号鍵のうち公開鍵は、モデムにより前記コンテンツサーバにアップロードされることを特徴とするものである。
【００１３】
本願の請求項７の発明は、入力コンテンツを蓄積する第１の蓄積手段と、複製されたコンテンツを蓄積する第２の蓄積手段と、コンテンツ再生装置のハードウェア及びソフトウェア構成を検出する構成検出器と、前記構成検出器の出力する構成情報に基づき、コンテンツ再生装置固有の２種類の暗号鍵を生成する暗号鍵生成器と、前記暗号鍵生成器の出力する暗号鍵を記憶する暗号鍵記憶手段と、前記第１の蓄積手段から読み出すコンテンツが、同一のコンテンツ再生装置で生成した暗号鍵により暗号化されたコンテンツであることを前記構成検出器の出力する構成情報に基づき認証する相互認証器と、前記相互認証器の出力する認証結果に基づき、前記第１又は第２の蓄積手段のコンテンツを前記第２又は第１の蓄積手段に複製し、読み出し元のコンテンツを消去する複製器と、を具備することを特徴とするものである。
【００１４】
本願の請求項８の発明は、請求項７のコンテンツ再生装置において、前記入力コンテンツは、モデムにより前記第１の蓄積手段にダウンロードされることを特徴とするものである。
【００１５】
本願の請求項９の発明は、請求項７のコンテンツ再生装置において、前記相互認証器の認証結果に基づき、前記第１の蓄積手段から読み出されたコンテンツを暗号復号する暗号復号器を更に設けたことを特徴とするものである。
【００１６】
本願の請求項１０の発明は、請求項７のコンテンツ再生装置において、前記相互認証器の認証結果に基づき、前記第１の蓄積手段から読み出されたコンテンツを暗号復号する暗号復号器と、前記暗号復号器で暗号復号されたコンテンツを伸長する伸長器と、を更に設けたことを特徴とするものである。
【００１７】
本願の請求項１１の発明は、請求項７のコンテンツ再生装置において、前記の暗号鍵生成器の生成する２種類の暗号鍵は、秘密鍵と公開鍵であることを特徴とするものである。
【００１８】
本願の請求項１２の発明は、請求項１１のコンテンツ再生装置において、前記暗号鍵生成器で生成された２種類の暗号鍵のうちの公開鍵は、モデムにより前記コンテンツサーバにアップロードされることを特徴とするものである。
【００１９】
本願の請求項１３の発明は、入力コンテンツをダウンロードするためコンテンツサーバとデータの送受信を行うモデムと、入力コンテンツを蓄積する蓄積手段と、前記蓄積手段からコンテンツを読み出し、前記モデムを介して前記コンテンツサーバへアップロードすると共に、前記コンテンツサーバから前記モデムを介して送信されたコンテンツを前記蓄積手段にダウンロードする蓄積制御器と、コンテンツ再生装置のハードウェア及びソフトウェア構成を検出する構成検出器と、前記構成検出器の出力する構成情報を記憶する構成記憶手段と、前記構成検出器の出力する構成情報に基づき、コンテンツ再生装置固有の２種類の暗号鍵を生成する第１の暗号鍵生成器と、前記第１の暗号鍵生成器の出力する暗号鍵を記憶する第１の暗号鍵記憶手段と、前記蓄積手段から読み出されたコンテンツが、同一のコンテンツ再生装置で生成した暗号鍵により暗号化されたコンテンツであることを前記構成記憶手段の出力する構成情報に基づき認証する相互認証器と、前記構成検出器の出力する構成情報と前記相互認証器の出力する認証結果とに基づき、コンテンツ再生装置固有の第２の暗号鍵を２種類生成し、且つ第２の暗号鍵を２種類生成したことを示す生成フラグを出力する第２の暗号鍵生成器と、前記第２の暗号鍵生成器の出力する暗号鍵を記憶する第２の暗号鍵記憶手段と、前記第１の暗号鍵記憶手段で記憶している２種類の鍵のうち一方の暗号鍵と前記第２の暗号鍵記憶手段で記憶している２種類の鍵のうち一方の暗号鍵とを前記第２の暗号鍵生成器の出力する前記生成フラグに基づいて切り替えるスイッチと、を具備することを特徴とするものである。
【００２０】
本願の請求項１４の発明は、請求項１３のコンテンツ再生装置において、前記蓄積手段から読み出されたコンテンツを前記相互認証器の認証結果に基づき、前記スイッチの出力する暗号鍵で暗号復号する暗号復号器を更に設けたことを特徴とするものである。
【００２１】
本願の請求項１５の発明は、請求項１３のコンテンツ再生装置において、前記蓄積手段から読み出されたコンテンツを前記相互認証器の認証結果に基づき、前記スイッチの出力する暗号鍵で暗号復号する暗号復号器と、前記暗号復号器で暗号復号されたコンテンツを伸長する伸長器と、を更に設けたことを特徴とするものである。
【００２２】
本願の請求項１６の発明は、請求項１３のコンテンツ再生装置において、前記第１の暗号鍵生成器の生成する２種類の暗号鍵は、秘密鍵と公開鍵であることを特徴とするものである。
【００２３】
本願の請求項１７の発明は、請求項１６のコンテンツ再生装置において、前記第１の暗号鍵生成器で生成された２種類の暗号鍵のうち公開鍵は、前記モデムを介して前記コンテンツサーバにアップロードされることを特徴とするものである。
【００２４】
【発明の実施の形態】
以下、本発明におけるコンテンツ再生装置の実施の形態について、図面を参照しながら説明する。
【００２５】
（実施の形態１）
図１は本発明の実施の形態１におけるコンテンツ再生装置の構成を示すブロック図である。尚、図４に示した従来のコンテンツ再生装置と同じ構成要素には同一符号を付し、その動作説明は省略する。
【００２６】
このコンテンツ再生装置は、モデム４０１、蓄積手段４０２、暗号復号器４０３、伸長器４０４、構成検出器４０５、第１の暗号鍵生成器４０６、第１の暗号鍵記憶手段４０７、第１の相互認証器４０８に加えて、構成記憶手段１０１、第２の暗号鍵生成器１０２、第２の暗号鍵記憶手段１０３、第２の相互認証器１０４を含んで構成される。
【００２７】
蓄積手段４０２はコンテンツサーバからモデム４０１を介して受信したコンテンツを蓄積するものである。構成検出器４０５はコンテンツ再生装置のハードウェア及びソフトウェア構成を検出するものである。構成記憶手段１０１は構成検出器４０５の出力する構成情報を記憶するものである。暗号鍵生成器４０６は構成検出器４０５の出力する構成情報に基づき、コンテンツ再生装置に固有な２種類の暗号鍵を生成するものである。
【００２８】
暗号鍵記憶手段４０７は暗号鍵生成器４０６の出力する２種類の暗号鍵を記憶するものである。相互認証器４０８は蓄積手段４０２から読み出すコンテンツが同一のコンテンツ再生装置で生成した暗号鍵により暗号化されたコンテンツであるか否かを、構成記憶手段１０１の出力する構成情報に基づき認証するものである。
【００２９】
暗号鍵生成器１０２は構成検出器４０５の出力する構成情報に基づき、コンテンツ再生装置固有な第２の暗号鍵の１種類を生成するものである。暗号鍵記憶手段１０３は暗号鍵生成器１０２の出力する暗号鍵を記憶するものである。相互認証器１０４は暗号鍵記憶手段１０３の出力する暗号鍵が同一のコンテンツ再生装置で生成した暗号鍵であるか否かを構成検出器４０５の出力する構成情報に基づき認証するものである。
【００３０】
このように構成されたコンテンツ再生装置の動作について、従来例と異なる部分を中心に説明する。構成記憶手段１０１は構成検出器４０５から出力された変更前構成情報を記憶する。また暗号鍵記憶手段１０３は、変更後構成情報に基づき、コンテンツ再生装置固有の暗号鍵として、暗号鍵生成器１０２で生成された第２の暗号鍵の１種類を記憶する。相互認証器４０８は蓄積手段４０２より読み出したコンテンツと構成記憶手段１０１から出力された変更前構成情報とを認証する。また相互認証器１０４は暗号鍵記憶手段１０３から出力された第２の暗号鍵と構成検出器４０５から出力された変更後構成情報とを認証する。尚、暗号鍵生成器１０２は暗号鍵生成器４０６と機能的には同じなので兼用可能である。
【００３１】
以上のように実施の形態１のコンテンツ再生装置によれば、コンテンツと変更前構成情報を認証し、かつ第２の暗号鍵と変更後構成情報を認証するので、コンテンツとコンテンツ再生装置が１対１に対応していることが保証される。このため不正コピーを防止でき、かつ構成変更してもコンテンツ再生できるという作用が得られる。
【００３２】
（実施の形態２）
次に本発明の実施の形態２におけるコンテンツ再生装置について説明する。図２は本実施の形態におけるコンテンツ再生装置の構成を示すブロック図である。尚、図４に示した従来のコンテンツ再生装置、及び図１に示した実施の形態１のコンテンツ再生装置と同じ構成要素には同一符号を付し、それらの動作説明は省略する。
【００３３】
このコンテンツ再生装置は、モデム４０１、第１の蓄積手段４０２、暗号復号器４０３、伸長器４０４、構成検出器４０５、暗号鍵生成器４０６、暗号鍵記憶手段４０７、相互認証器４０８に加えて、複製器２０１、第２の蓄積手段２０２を含んで構成される。
【００３４】
蓄積手段４０２はモデム４０１を介して得られた入力コンテンツを蓄積するものである。構成検出器４０５はコンテンツ再生装置のハードウェア及びソフトウェアの構成を検出するものである。暗号鍵生成器４０６は構成検出器４０５の出力する構成情報に基づき、コンテンツ再生装置固有の２種類の暗号鍵を生成するものである。暗号鍵記憶手段４０７は暗号鍵生成器４０６の出力する暗号鍵を記憶するものである。相互認証器４０８は蓄積手段４０２から読み出すコンテンツが同一のコンテンツ再生装置で生成した暗号鍵により暗号化されたコンテンツであるか否かを構成情報に基づき認証するものである。
【００３５】
複製器２０１は相互認証器４０８の出力する認証結果に基づき、蓄積手段４０２よりコンテンツを読み出し、且つ蓄積手段４０２に蓄積されているコンテンツを消去し、蓄積手段２０２にそのコンテンツを複製して蓄積すると共に、逆方向の複製も行うものである。蓄積手段２０２は複製器２０１から出力されたコンテンツを蓄積するものである。
【００３６】
このように構成されたコンテンツ再生装置の動作について説明する。複製器２０１は相互認証器４０８の出力する認証結果に基づき、蓄積手段４０２よりコンテンツを読み出すと同時に、蓄積手段４０２に蓄積されているコンテンツを消去し、且つ蓄積手段２０２にそのコンテンツを蓄積することにより複製する。
【００３７】
上記の動作と並行して、暗号鍵生成器４０６は変更後構成情報に基づき第２の暗号鍵の２種類を生成し、そのうち一方の暗号鍵をモデム４０１を介してコンテンツサーバにアップロードする。そして蓄積手段２０２をオフラインでコンテンツサーバに送付する。コンテンツサーバ側はそのコンテンツと変更前構成情報とに基づき生成された暗号鍵を認証後、新たに生成された第２の暗号鍵で同じ内容のコンテンツを再暗号化して返送する。このコンテンツは一旦蓄積手段４０２に蓄積される。複製器２０１は蓄積手段２０２よりコンテンツを読み出す同時に、蓄積手段２０２に蓄積されているコンテンツを消去し、且つ蓄積手段４０２に新たなコンテンツを蓄積することにより複製する。次に暗号復号器４０３は蓄積手段４０２より読み出したコンテンツを復号し再生する。尚、蓄積手段２０２から直接コンテンツを読み出し、暗号復号して再生してもよい。
【００３８】
以上のように実施の形態２のコンテンツ再生装置によれば、蓄積手段２０２がリムーバルメディアであるＣＤ−Ｒとすると、これをオフラインでコンテンツサーバに送付する。コンテンツサーバ側はそのコンテンツと変更前構成情報に基づき生成された暗号鍵を認証後、同じ内容のコンテンツを新たに生成された第２の暗号鍵で再暗号化し、蓄積手段２０２に蓄積して返送すれば、ユーザは変更後にコンテンツ再生装置でそのコンテンツを再生できるようになる。
【００３９】
（実施の形態３）
次に本発明の実施の形態３におけるコンテンツ再生装置について説明する。図３は本実施の形態におけるコンテンツ再生装置の構成を示すブロック図である。尚、図４の従来のコンテンツ再生装置、図１の実施の形態１、及び図２の実施の形態２と同じ構成要素には同一符号を付し、それらの動作説明は省略する。
【００４０】
このコンテンツ再生装置は、モデム４０１、蓄積手段４０２、暗号復号器４０３、伸長器４０４、構成検出器４０５、第１の暗号鍵生成器４０６、第１の暗号鍵記憶手段４０７、相互認証器４０８に加えて、蓄積制御器３０１、第２の暗号鍵生成器３０２、第２の暗号鍵記憶手段３０３、スイッチ３０４を含んで構成される。
【００４１】
モデム４０１はデータの変復調を行い、コンテンツサーバと送受信を行うと共に、入力コンテンツをコンテンツ再生装置にダウンロードするものである。またモデム４０１は、暗号鍵記憶手段３０３の記憶する２種類の鍵のうち、一方の鍵をコンテンツサーバにアップロードする機能も有している。蓄積手段４０２はモデム４０１から出力された入力コンテンツを蓄積制御器３０１を介して蓄積するものである。構成検出器４０５はコンテンツ再生装置のハードウェア及びソフトウェア構成を検出するものである。暗号鍵生成器４０６は構成検出器４０５の出力する構成情報に基づき、コンテンツ再生装置固有の２種類の暗号鍵を生成するものである。暗号鍵記憶手段４０７は暗号鍵生成器４０６の出力する暗号鍵を記憶するものである。
【００４２】
相互認証器４０８は、蓄積手段４０２から読み出されたコンテンツが同一コンテンツ再生装置で生成した暗号鍵により暗号化されたコンテンツである否かを、構成情報に基づき認証するものである。暗号鍵生成器３０２は、構成検出器４０５の出力する構成情報と、相互認証器４０８の出力する認証結果に基づき、コンテンツ再生装置固有の第２の暗号鍵の２種類を生成し、且つ第２の暗号鍵の２種類を生成したことを示す生成フラグを出力するものである。暗号鍵記憶手段３０３は暗号鍵生成器３０２の出力する暗号鍵を記憶するものである。
【００４３】
蓄積制御器３０１は暗号鍵生成器３０２の出力する生成フラグにより、蓄積手段４０２からコンテンツを読み出し、モデム４０１を介してコンテンツサーバへアップロードするものである。スイッチ３０４は、暗号鍵記憶手段４０７で記憶している２種類の鍵のうち１つの暗号鍵と、暗号鍵記憶手段３０３で記憶している２種類の鍵のうち１つの暗号鍵とを、暗号鍵生成器３０２の出力する生成フラグで切り替えるものである。
【００４４】
このように構成されたコンテンツ再生装置の動作について説明する。蓄積制御器３０２はモデム４０１から出力された入力コンテンツを蓄積手段４０２に蓄積する。暗号鍵生成器３０２は、構成検出器４０５の出力する構成情報と、相互認証器４０８の出力する認証結果とに基づき、コンテンツ再生装置固有の第２の暗号鍵の２種類を生成し、且つ第２の暗号鍵の２種類を生成したことを示す生成フラグを出力し、第２の暗号鍵を暗号鍵記憶手段３０３に記憶する。
【００４５】
第２の暗号鍵のうち一つをモデム４０１を介してコンテンツサーバにアップロードする。この動作と並行して、蓄積制御器３０１は暗号鍵生成器３０２の出力する生成フラグにより蓄積手段４０２からコンテンツを読み出し、モデム４０１を介してコンテンツサーバへアップロードする。コンテンツサーバ側はそのコンテンツと変更前構成情報に基づき生成された暗号鍵を認証後、同じ内容のコンテンツを新たに生成された第２の暗号鍵で再暗号化し、構成変更後のコンテンツ再生器の蓄積手段４０２にダウンロードする。
【００４６】
スイッチ３０４は、暗号鍵記憶手段４０７の出力する暗号鍵と、暗号記憶手段３０３の出力する暗号鍵とを生成フラグにより切り替える。暗号復号器４０３は切り替えられた暗号鍵を用いて蓄積手段４０２より読み出したコンテンツを復号し再生する。新しくダウンロードしたコンテンツは第２の暗号鍵でのみ再生可能であり、第１の暗号鍵は必要ないので暗号鍵記憶手段４０７のデータは削除できる。
【００４７】
以上のように実施の形態２のコンテンツ再生装置によれば、コンテンツサーバ側はそのコンテンツと変更前構成情報に基づき生成された暗号鍵を認証後、新たに生成された第２の暗号鍵で同じ内容のコンテンツを再暗号化し、構成変更後のコンテンツ再生器の蓄積手段にダウンロードする。これにより変更後のコンテンツ再生器で第２の暗号鍵を用いてコンテンツを再生できるようになる。
【００４８】
【発明の効果】
以上のように請求項１〜６記載の発明によれば、コンテンツとコンテンツ再生器が１対１に対応していることが保証されるので、不正コピーを防止でき、かつコンテンツ再生装置の構成を変更しても、同一ユーザがそのコンテンツを再生することができる。
【００４９】
また請求項７〜１２記載の発明によれば、複製器は相互認証器の出力する認証結果に基づき、第１の蓄積手段に蓄積しているコンテンツを第２の蓄積手段に複製する。そして第２の蓄積手段をオフラインでコンテンツサーバに送付すれば、新たに生成された第２の暗号鍵で同じ内容のコンテンツが再暗号化され、ユーザの所に第２の蓄積手段が返送される。複製器は第２の蓄積手段のコンテンツを第１の蓄積手段に複製する。こうすることによって、構成記憶手段を設けなくても、コンテンツを変更後のコンテンツ再生器で再生することができる。
【００５０】
また請求項１３〜１７記載の発明によれば、コンテンツサーバ側はコンテンツと変更前構成情報に基づき生成された暗号鍵を認証後、新たに生成された第２の暗号鍵で同じ内容のコンテンツを再暗号化し、構成変更後のコンテンツ再生器の蓄積手段にダウンロードする。第１の暗号鍵記憶手段の出力する暗号鍵と、第２の暗号記憶手段の出力する暗号鍵とを、生成フラグに基づいてスイッチで切り替える。切り替えられた暗号鍵を用いて暗号復号器がコンテンツを復号するので、変更後のコンテンツを第２の暗号鍵を用いてコンテンツ再生器で再生できる。
【００５１】
以上の発明によれば、コンテンツ再生装置を具現化する際、ハードウェア及びソフトウェア構成を変えても、ダウンロードしたコンテンツを再生することができる。このためコンテンツを享受するユーザにとって、一旦取得したコンテンツ資産を継承することができ、その工業的価値は極めて大きい。
【図面の簡単な説明】
【図１】本発明の実施の形態１におけるコンテンツ再生装置の構成図である。
【図２】本発明の実施の形態２におけるコンテンツ再生装置の構成図である。
【図３】本発明の実施の形態３におけるコンテンツ再生装置の構成図である。
【図４】従来例におけるコンテンツ再生装置の構成図である。
【符号の説明】
１０１  構成記憶手段
１０２，３０２，４０６  暗号鍵生成器
１０３，３０３，４０７  暗号鍵記憶手段
１０４，４０８  相互認証器
２０１  複製器
２０２，４０２  蓄積手段
３０１  蓄積制御器
３０４  スイッチ
４０１  モデム
４０３  暗号復号器
４０４  伸長器
４０５  構成検出器
【図１】
0004659995.tif 000002
【図２】
0004659995.tif 000003
【図３】
0004659995.tif 000004
【図４】
0004659995.tif 000005